(57)【要約】【課題】カラー情報を送信する送信機から、送信するカラー情報の種類や色空間に応じて好適に当該カラー情報を受信可能な受信機に対して送信させることができるファクシミリ装置の通信制御方法を提供する。【解決手段】受信機が、送信機に対して、ＪＰＥＧ符号化情報の受信機能の有無、色空間Ｌａｂでのフルカラー情報の受信機能の有無及び色空間ｓＹＣＣでのフルカラー情報の受信機能の有無を通知する。一方、送信機が、受信機に対して、ＪＰＥＧ符号化情報の送信、色空間Ｌａｂでのフルカラー情報の送信及び色空間ｓＹＣＣでのフルカラー情報の送信を指定する。ここで、送信機が受信機に対して、カラー原稿情報を送信する場合は、色空間Ｌａｂでのフルカラー情報を送信し、カラーファイル情報を送信する場合は、色空間ｓＹＣＣでのフルカラー情報を送信する。【選択図】  図１
2004166069.tif 000002
【特許請求の範囲】
【請求項１】
受信機から送信機に対して、
ＪＰＥＧ符号化情報の受信機能の有無を通知し、
色空間Ｌａｂでのフルカラー情報の受信機能の有無を通知し、
色空間ｓＹＣＣでのフルカラー情報の受信機能の有無を通知し、
前記送信機から前記受信機に対して、
ＪＰＥＧ符号化情報の送信を指定し、
色空間Ｌａｂでのフルカラー情報の送信を指定し、
色空間ｓＹＣＣでのフルカラー情報の送信を指定して、
カラーファイル情報を通信する通信制御方法であって、
前記送信機が前記受信機に対して、
カラー原稿情報を送信する場合は、色空間Ｌａｂでのフルカラー情報を送信し、
カラーファイル情報を送信する場合は、色空間ｓＹＣＣでのフルカラー情報を送信する
ことを特徴とする通信制御方法。
【発明の詳細な説明】
【０００１】
【発明の属する技術分野】
本発明は、ファクシミリ装置における通信制御、特に、カラーファイル情報を受信可能なファクシミリ装置における通信制御に関する。
【０００２】
【従来の技術】
従来のファクシミリ装置は、モノクロ通信を実行するものが主流であった。しかしながら、最近は、インクジェットプリンタ、デジタルカメラ及びパーソナルコンピュータ等の普及に伴い、カラー情報の取り扱いが急増してきた。このような状況で、カラー情報通信のニーズが急速に高まってきた。
【０００３】
ここで、現在のＩＴＵ−Ｔの勧告について説明する。カラー情報の送信はＩＴＵ−Ｔ勧告Ｔ．８２で規定されているＪＰＥＧ符号化により、ＩＴＵ−Ｔ勧告Ｔ．４２の色空間Ｌａｂでフルカラー情報の送信が実行されている。これらのカラーファクシミリ通信は、送信機及び受信機共にスタンドアローンのファクシミリ装置で実行されていた。
【０００４】
また、デジタルカメラ等で撮影した情報の送信をファクシミリ装置で行わせたいというニーズもあり、ファクシミリ装置にカードスロットを備え、例えば、コンパクトフラッシュ（登録商標）カードに記憶された撮影情報（この場合、色空間ｓＹＣＣのファイル情報のケースが多い。）を読み出して送信するものもある。ここで、従来の装置では、撮影されたカラーファイル情報は一旦色空間Ｌａｂに変換してカラーファクシミリ画情報として送信されていた。すなわち、従来の情報通信は、あくまでカラーファクシミリ画情報として送信されていた。このように、従来のファクシミリ装置では、送信されるカラーファクシミリ情報の色空間はＬａｂを使用していた。
【０００５】
【発明が解決しようとする課題】
しかしながら、例えば、デジタルカメラで撮影したカラー情報の色空間はｓＹＣＣであってＬａｂではなく、また、パーソナルコンピュータにおいてカラー情報を表示する場合の色空間もｓＹＣＣであってＬａｂではない。そのため、デジタルカメラで撮影した情報やパーソナルコンピュータで表示している情報をファクシミリ送信する場合は、一旦、色空間をｓＹＣＣからＲＧＢに変換し、次いで、色空間をＲＧＢからＬａｂに変換して送信しなければならず、非常に手間がかかるという問題があった。
【０００６】
また、このような色変換を行うことによって画質劣化が発生するという問題もあった。さらに、従来のカラー通信では、カラーファイル情報のみを送信するようなケースは考えられてらず、常に、色空間Ｌａｂでのカラーファクシミリ通信が行われるようになっていた。
【０００７】
本発明は、このような事情を考慮してなされたものであり、カラー情報を送信する送信機から、送信するカラー情報の種類や色空間に応じて好適に当該カラー情報を受信可能な受信機に対して送信させることができるファクシミリ装置の通信制御方法を提供することを目的とする。
【０００８】
【課題を解決するための手段】
上記課題を解決するために、本発明に係る通信制御方法は、受信機から送信機に対して、ＪＰＥＧ符号化情報の受信機能の有無を通知し、色空間Ｌａｂでのフルカラー情報の受信機能の有無を通知し、色空間ｓＹＣＣでのフルカラー情報の受信機能の有無を通知し、前記送信機から前記受信機に対して、ＪＰＥＧ符号化情報の送信を指定し、色空間Ｌａｂでのフルカラー情報の送信を指定し、色空間ｓＹＣＣでのフルカラー情報の送信を指定して、カラーファイル情報を通信する通信制御方法であって、前記送信機が前記受信機に対して、カラー原稿情報を送信する場合は、色空間Ｌａｂでのフルカラー情報を送信し、カラーファイル情報を送信する場合は、色空間ｓＹＣＣでのフルカラー情報を送信することを特徴とする。
【０００９】
【発明の実施の形態】
以下、図面を参照して、本発明の一実施形態に係る通信制御を行うファクシミリ装置の詳細について説明する。
【００１０】
＜第１の実施形態＞
図１は、本発明の第１の実施形態に係るファクシミリ装置の構成を示すブロック図である。図１において、２６は、バスである。また、２は、ＮＣＵ（網制御装置）である。さらに、４は、電話機である。
【００１１】
ＮＣＵ２は、電話網をデータ通信等に使用するために電話網からの電話回線２ａの端末に接続し、電話交換網の接続制御を行ったり、データ通信路への切り換えを行ったり、ループの保持を行うものである。また、ＮＣＵ２は、バス２６からの制御により、電話回線２ａを電話機４側（２ｂ）に接続（ＣＭＬオフ）したり、電話回線２ａをファクシミリ装置側（２ｃ）に接続（ＣＭＬオン）するものである。尚、通常の状態では、電話回線２ａは電話機４側に接続されている。
【００１２】
１２は、加算回路であり、信号線８ａの情報と信号線１０ａの情報を入力し、加算した結果を信号線１２ａに出力する。また、６は、ハイブリッド回路であり、送信系の信号と受信系の信号とを分離し、加算回路１２からの送信信号をＮＣＵ２経由で電話回線２ａに送出するとともに、相手側からの信号をＮＣＵ２経由で受け取って信号線６ａ経由で変復調器８に送るものである。
【００１３】
８は、変復調器であって、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行うものであり、バス２６の制御により各伝送モードが指定される。変復調器８は、バス２６からの送信信号を入力して変調データを信号線８ａに出力するとともに、信号線６ａに出力されている受信信号を入力して復調データをバス２６に出力する。また、１０は、発呼回路であり、バス２６からの信号により、電話番号情報を入力して信号線１０ａにＤＴＭＦ（Ｄｉａｌ  Ｔｏｎｅ  Ｍｕｌｔｉ  Ｆｒｅｑｕｅｎｃｙ）の選択信号を出力する。
【００１４】
１４は、カラー読み取り可能な読取回路であり、読み取りデータをバス２６に出力する。また、１６は、カラー記録可能な記録回路であり、バス２６に出力されている情報を順次１ライン毎に記録する。さらに、１８は、メモリ回路であり、ワーク用のメモリ（ＲＡＭ）、読み取りデータの生情報、符号化した情報等を格納したり、受信情報や復号化した情報等をバス２６を介して格納するために使用される。
【００１５】
２０は、操作部であり、ワンタッチダイヤル、短縮ダイヤル、テンキー、「＊」キー、「＃」キー、スタートキー、ストップキー、セットキー、カラー情報の送信を選択するキー、送信する色空間を選択するキー、その他のファンクションキーがあり、押下されたキー情報はバス２６に出力される。また、操作部２０には、表示部があって、バス２６に出力されている情報を入力し、表示することができる。
【００１６】
２２は、ＣＰＵ（中央処理装置）であり、ファクシミリ全体の制御をしたり、ファクシミリ伝送制御手順を実行するが、その制御プログラムは、ＲＯＭ２４に格納される。
【００１７】
２８は、カードインタフェースである。また、３０は、例えば、カードインタフェースに接続（挿入）されるコンパクトフラッシュ（登録商標）カード等の受信情報を記憶するためのカードである。尚、カード３０の代わりにディスク等のその他の可搬記録媒体を使用するようにしてもよい。
【００１８】
図２は、本発明の第１の実施形態において用いられる新規にＩＴＵ−Ｔ勧告Ｔ．３０に追加するプロトコルを示す図である。図２に示すように、ＤＩＳ／ＤＴＣ信号のＦＩＦのビット６８により、ＪＰＥＧ受信機能の有無を通知し、ＤＣＳ信号のＦＩＦのビット６８により、ＪＰＥＧ送信を指定する。
【００１９】
また、ＤＩＳ／ＤＴＣ信号のＦＩＦのビット６９により、色空間Ｌａｂでのフルカラー受信機能の有無を通知し、ＤＣＳ信号のＦＩＦのビット６９により、色空間Ｌａｂでのフルカラー送信を指定する。
【００２０】
さらに、ＤＩＳ／ＤＴＣ信号のＦＩＦのビットＸにより、色空間ｓＹＣＣでのフルカラー受信機能の有無を通知し、ＤＣＳ信号のＦＩＦのビットＸにより、色空間ｓＹＣＣでのフルカラー送信を指定する。
【００２１】
さらにまた、ＤＩＳ／ＤＴＣ信号のＦＩＦのビットＸ＋１により、色空間ｓＹＣＣでのフルカラー受信機能の有無を通知し、ＤＣＳ信号のＦＩＦのビットＸ＋１により、色空間ｓＹＣＣでのフルカラー送信を指定する。
【００２２】
さらにまた、ＤＩＳ／ＤＴＣ信号のＦＩＦのビットＹにより、色空間ｓＹＣＣでの非定型サイズの受信機能の有無を通知し、ＤＣＳ信号のＦＩＦのビットＹにより、色空間ｓＹＣＣでの非定型サイズの送信を指定する。
【００２３】
一方、図１において、２４は、制御プログラムを格納するためのＲＯＭである。すなわち、このＲＯＭ２４には、カラーファイル情報をファクシミリ通信する受信機と送信機との間の通信制御を実行するための制御プログラムが格納されており、受信機から送信機に対して、ＪＰＥＧ符号化情報の受信機能の有無を通知する手順、色空間がＬａｂであるフルカラー情報の受信機能の有無を通知する手順、色空間がｓＹＣＣであるフルカラー情報の受信機能の有無を通知する手順と、送信機から受信機に対して、ＪＰＥＧ符号化情報の送信を指定する手順、色空間がＬａｂであるフルカラー情報の送信を指定する手順、色空間がｓＹＣＣであるフルカラー情報の送信を指定する手順を実行し、送信機が受信機に対して、カラー原稿情報を送信する場合は、色空間がＬａｂであるフルカラー情報の送信を実行し、カラーファイル情報を送信する場合は、色空間ｓＹＣＣであるフルカラー情報の送信を実行させる。
【００２４】
また、上記制御プログラムを、送信機がカラーファイル情報を送信する場合、当該カラーファイル情報がＬａｂのときはその色空間をｓＹＣＣに変換して送信するようにすることも可能である。
【００２５】
さらに、上記制御プログラムを、送信機がカラー原稿情報を送信する場合であって、相手受信機に色空間Ｌａｂであるフルカラー受信機能が無い場合は、カラーファクシミリ通信をしないようにする（すなわち、途中まで行っていた通信を中断する）ことも可能である。さらにまた、上記制御プログラムを、送信機がカラーファイル情報を送信する場合であって、相手受信機に色空間ｓＹＣＣであるフルカラーの受信機能が無い場合は、カラーファクシミリ通信をしないようにする（すなわち、途中まで行っていた通信を中断する）ことも可能である。
【００２６】
さらにまた、上記制御プログラムを、受信機から送信機に対して色空間がｓＹＣＣでの非定型サイズの受信機能の有無を通知する手順、送信機から受信機に対して色空間がｓＹＣＣでの非定型サイズの送信を指定する手順とをさらに実行させ、送信機がカラーファイル情報を送信するときに、相手受信機に色空間ｓＹＣＣでの非定型サイズでの受信機能が無い場合は、カラーファクシミリ通信をしないよういすることも可能である。
【００２７】
図３〜５は、本発明の第１の実施形態に係るファクシミリ装置における通信制御の流れを説明するためのフローチャートである。
【００２８】
まず、図３に示すように、バス２６を介して、メモリ１８をイニシャライズ（初期化）する（ステップＳ２）。次に、バス２６を介して、操作部２０の表示部をクリアする（ステップＳ４）。さらに、バス２６を介してＮＣＵ２のＣＭＬをオフにする（ステップＳ６）。
【００２９】
次に、操作部２０の情報を入力して、カラーファイル情報の送信が選択されたか否かが判断される（ステップＳ８）。その結果、選択されたと判断された場合（ＹＥＳ）はステップＳ１０に進み、選択されたと判断されなかった場合（ＮＯ）はステップＳ３０に進む。
【００３０】
ステップＳ１０では、カラーファイル情報の色空間がｓＹＣＣであるか否かが判断される。その結果、色空間がｓＹＣＣであると判断された場合（ＹＥＳ）はステップＳ１４に進み、色空間がｓＹＣＣでないと判断された場合（ＮＯ）、例えば、色空間がＬａｂであると判断されたような場合はステップＳ１２に進む。ステップＳ１２では、カラーファイル情報の色空間を、例えば、ＬａｂからｓＹＣＣへ変換し、ファクシミリ装置のメモリ１８に格納する。尚、ファクシミリ装置のメモリ１８の記憶容量が満杯になった場合は格納を中断し、実際に送信先のファクシミリ装置の宛先にダイヤルして通信が開始され、格納された情報が送信されてメモリ１８に空きが出来次第、順次残りのカラーファイル情報を変換し格納する。そして、その後ステップＳ１４に進む。
【００３１】
図４に示すように、ステップＳ１４では、バス２６を介して、ＮＣＵ２のＣＭＬをオンにする。次いで、バス２６を介して指定された宛先のファクシミリ装置へ発呼し（ステップＳ１６）、前手順が行われる（ステップＳ１８）。
【００３２】
その後、ＤＩＳ信号のＦＩＦのビットＸ、Ｘ＋１、Ｙが全て１であるか否かが判断される（ステップＳ２０）。その結果、全て１であると判断された場合（ＹＥＳ）はステップＳ２４に進み、少なくとも１つが１でないと判断された場合（ＮＯ）は、エラー処理して通信を中断し（ステップＳ２２）、ステップ８に戻る。
【００３３】
ステップＳ２４では、残りの前手順が行われ、ＤＣＳ信号のＦＩＦのビットＸ、Ｘ＋１、Ｙが１にされる。次いで、カード３０に格納されている、或いは、色空間を変換してメモリ１８に格納されている色空間ｓＹＣＣのカラーファイル情報をＪＰＥＧ符号化情報としてフルカラー情報送信する（ステップＳ２６）。ここで、ＪＰＥＧ符号化情報におけるヘッダのＸパラメータにより主走査方向の画素数を、Ｙパラメータにより副走査方向の画素数を通知するものとする。そして、後手順が行われ（ステップＳ２８）、ステップＳ８に戻る。
【００３４】
一方、ステップＳ８でカラーファイル情報の送信が選択されていないと判断された場合（ＮＯ）は、図５に示すように、カラー原稿情報の送信が選択されたか否かが判断される（ステップＳ３０）。その結果、選択されたと判断された場合（ＹＥＳ）はステップＳ３４に進み、選択されていないと判断された場合（ＮＯ）はその他の処理が行われ（ステップＳ３２）、ステップＳ８に戻る。
【００３５】
ステップＳ３４では、バス２６を介して、ＮＣＵ２のＣＭＬをオンにする。そして、バス２６を介して、指定された宛先のファクシミリ装置へ発呼し（ステップＳ３６）、前手順が行われる（ステップＳ３８）。さらに、ＤＩＳ信号のＦＩＦのビット６８とビット６９がともに１であるか否かが判断される（ステップＳ４０）。その結果、ともに１であると判断された場合（ＹＥＳ）はステップＳ４４に進み、少なくともどちらか一方が１でないと判断された場合（ＮＯ）はエラー処理して通信を中断し（ステップＳ４２）、ステップＳ８に戻る。
【００３６】
また、ステップＳ４４では、残りの前手順が行われ、ＤＣＳ信号のＦＩＦのビット６８、６９が１にされる。そして、原稿情報を色空間ＬａｂによってＪＰＥＧ符号化を用いてフルカラー情報送信を実行する（ステップＳ４６）。その後、後手順が行われ（ステップＳ４８）、ステップＳ８に戻る。
【００３７】
本実施形態で説明したファクシミリ装置の通信制御によれば、デジタルカメラ等で撮影したコンパクトフラッシュ（登録商標）カード等のカード３０に格納されているカラーファイル情報は、色空間がＬａｂであっても、ｓＹＣＣの色空間に変換して、必ず、色空間ｓＹＣＣでのカラー通信をすることが可能になった。また、もともとのファイル情報の色空間がｓＹＣＣであれば、そのままの色空間でカラー通信を行うことが可能である。一方、受信機側の処理としては、原稿情報を読み取ったカラーファクシミリ画信号による色空間ｓＹＣＣのカラー通信とカラーファイル情報の通信とを区別することができ、受信機側では、メモリ受信する等の制御が可能になり、通信情報の有効利用を図ることができ、ユーザにとって使い易いファクシミリ装置を提供することが可能となる。
【００３８】
＜その他の実施形態＞
尚、本発明は、複数の機器（例えば、ホストコンピュータ、インタフェース機器、リーダ、プリンタ等）から構成されるシステムに適用しても、一つの機器からなる装置（例えば、複写機、ファクシミリ装置等）に適用してもよい。
【００３９】
また、本発明の目的は、前述した実施形態の機能を実現するソフトウェアのプログラムコードを記録した記録媒体（または記憶媒体）を、システムあるいは装置に供給し、そのシステムあるいは装置のコンピュータ（またはＣＰＵやＭＰＵ）が記録媒体に格納されたプログラムコードを読み出し実行することによっても、達成されることは言うまでもない。この場合、記録媒体から読み出されたプログラムコード自体が前述した実施形態の機能を実現することになり、そのプログラムコードを記録した記録媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００４０】
さらに、記録媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００４１】
本発明を上記記録媒体に適用する場合、その記録媒体には、先に説明したフローチャートに対応するプログラムコードが格納されることになる。
【００４２】
本発明の実施態様の例を以下に列挙する。
【００４３】
【実施態様１】受信機から送信機に対して、
ＪＰＥＧ符号化情報の受信機能の有無を通知し、
色空間Ｌａｂでのフルカラー情報の受信機能の有無を通知し、
色空間ｓＹＣＣでのフルカラー情報の受信機能の有無を通知し、
前記送信機から前記受信機に対して、
ＪＰＥＧ符号化情報の送信を指定し、
色空間Ｌａｂでのフルカラー情報の送信を指定し、
色空間ｓＹＣＣでのフルカラー情報の送信を指定して、
カラーファイル情報を通信する通信制御方法であって、
前記送信機が前記受信機に対して、
カラー原稿情報を送信する場合は、色空間Ｌａｂでのフルカラー情報を送信し、
カラーファイル情報を送信する場合は、色空間ｓＹＣＣでのフルカラー情報を送信する
ことを特徴とする通信制御方法。
【００４４】
【実施態様２】前記送信機が、色空間Ｌａｂでのカラーファイル情報を送信する場合、該カラーファイル情報の色空間をＬａｂからｓＹＣＣに変換した後送信することを特徴とする実施態様１記載の通信制御方法。
【００４５】
【実施態様３】前記送信機がカラー原稿情報を送信する場合であって、送信先である前記受信機に色空間Ｌａｂでのフルカラー受信機能が無い場合、前記送信機はカラーファクシミリ通信をしないことを特徴とする実施態様１又は２に記載の通信制御方法。
【００４６】
【実施態様４】前記送信機がカラーファイル情報を送信する場合であって、送信先の前記受信機に色空間ｓＹＣＣでのフルカラーの受信機能が無い場合、前記送信機はカラーファクシミリ通信をしないことを特徴とする実施態様１から３までのいずれか１つに記載の通信制御方法。
【００４７】
【実施態様５】前記受信機から前記送信機に対して、色空間ｓＹＣＣでの非定型サイズの受信機能の有無をさらに通知し、
前記送信機から前記受信機に対して、色空間ｓＹＣＣでの非定型サイズの送信をさらに指定して、カラーファイル情報を通信する通信制御方法であって、
前記送信機がカラーファイル情報を送信する場合であって、送信先の前記受信機に色空間ｓＹＣＣでの非定型サイズの受信機能が無い場合、前記送信機はカラーファクシミリ通信をしない
ことを特徴とする実施態様１から４までのいずれか１つに記載の通信制御方法。
【００４８】
【実施態様６】受信機と送信機とを備え、カラーファイル情報を通信する通信制御システムであって、
前記受信機が、前記送信機に対して、
ＪＰＥＧ符号化情報の受信機能の有無を通知する手段と、
色空間Ｌａｂでのフルカラー情報の受信機能の有無を通知する手段と、
色空間ｓＹＣＣでのフルカラー情報の受信機能の有無を通知する手段とを備え、
前記送信機が、前記受信機に対して、
ＪＰＥＧ符号化情報の送信を指定する手段と、
色空間Ｌａｂでのフルカラー情報の送信を指定する手段と、
色空間ｓＹＣＣでのフルカラー情報の送信を指定する手段とを備え、
前記送信機が前記受信機に対して、
カラー原稿情報を送信する場合は、色空間Ｌａｂでのフルカラー情報を送信し、
カラーファイル情報を送信する場合は、色空間ｓＹＣＣでのフルカラー情報を送信する
ことを特徴とする通信制御システム。
【００４９】
【実施態様７】前記送信機が、色空間Ｌａｂでのカラーファイル情報を送信する場合、該カラーファイル情報の色空間をＬａｂからｓＹＣＣに変換した後送信することを特徴とする実施態様６記載の通信制御システム。
【００５０】
【実施態様８】前記送信機がカラー原稿情報を送信する場合であって、送信先である前記受信機に色空間Ｌａｂでのフルカラー受信機能が無い場合、前記送信機はカラーファクシミリ通信をしないことを特徴とする実施態様６又は７に記載の通信制御システム。
【００５１】
【実施態様９】前記送信機がカラーファイル情報を送信する場合であって、送信先の前記受信機に色空間ｓＹＣＣでのフルカラーの受信機能が無い場合、前記送信機はカラーファクシミリ通信をしないことを特徴とする実施態様６から８までのいずれか１つに記載の通信制御システム。
【００５２】
【実施態様１０】前記受信機が、前記送信機に対して色空間ｓＹＣＣでの非定型サイズの受信機能の有無を通知する手段をさらに備え、
前記送信機が、前記受信機に対して色空間ｓＹＣＣでの非定型サイズの送信を指定する手段をさらに備え、
前記送信機がカラーファイル情報を送信する場合であって、送信先の前記受信機に色空間ｓＹＣＣでの非定型サイズの受信機能が無い場合、前記送信機はカラーファクシミリ通信をしない
ことを特徴とする実施態様６から９までのいずれか１つに記載の通信制御システム。
【００５３】
【発明の効果】
以上説明したように、本発明によれば、カラー情報を送信する送信機から、送信するカラー情報の種類や色空間に応じて好適に当該カラー情報を受信可能な受信機に対して送信させることができる。
【図面の簡単な説明】
【図１】本発明の第１の実施形態に係るファクシミリ装置の構成を示すブロック図である。
【図２】本発明の第１の実施形態において用いられる新規にＩＴＵ−Ｔ勧告Ｔ．３０に追加するプロトコルを示す図である。
【図３】本発明の第１の実施形態に係るファクシミリ装置における通信制御の流れを説明するためのフローチャートである。
【図４】本発明の第１の実施形態に係るファクシミリ装置における通信制御の流れを説明するためのフローチャートである。
【図５】本発明の第１の実施形態に係るファクシミリ装置における通信制御の流れを説明するためのフローチャートである。
【符号の説明】
２  ＮＣＵ
４  電話機
６  ハイブリッド回路
８  変復調器
１０  発呼回路
１２  加算回路
１４  読み取り回路
１６  記録回路
１８  メモリ回路
２０  操作部
２２  ＣＰＵ
２４  ＲＯＭ
２６  バス
２８  カードインタフェース
３０  カード
【図１】
2004166069.tif 000003
【図２】
2004166069.tif 000004
【図３】
2004166069.tif 000005
【図４】
2004166069.tif 000006
【図５】
2004166069.tif 000007